(57)【要約】      （修正有）【課題】体圧分散クッションの使用方向を、簡便かつ正確に測定可能とする使用方向測定装置を提供する。【解決手段】介護対象者Ａの体軸に沿った前後方向に長く、背中部の左側または右側と接触する傾斜接触面２３を有する体圧分散クッション２０を介護対象者Ａの背中部の左側の下に敷き、右側臥位にしたときに、肩側に来る側面２１と腰側に来る側面２２に各々、パッシブＲＦタグからなる第１、第２の情報発信器３０、４０を装着し、第１の情報発信器の通信可能範囲Ｒ１は側面２１の外側に拡がっているが、側面２２の外側に拡がっている第２の情報発信器の通信可能範囲Ｒ２とは重ならないようにする。第１、第２の情報発信器３０、４０は各々、介護者の持つ情報端末５０が通信可能範囲Ｒ１、Ｒ２にあるときに右側臥位を表す情報、左側臥位を表す情報を発信して読み取らせる。【選択図】図８
0003225058.tif 000002
【実用新案登録請求の範囲】
【請求項１】
使用者の体軸に沿った前後方向に長く、使用者の背中部の左側または右側と接触する傾斜接触面を有する体圧分散クッションを使用者の背中部の左側の下に敷き、右側臥位の体位にしたときに、体圧分散クッションの長手方向の肩側に来る側面を第１の側面、腰側に来る側面を第２の側面として、体圧分散クッションの内、第１の側面側端部と第２の側面側端部に各々、第１、第２の情報発信器を装着し、
第１、第２の情報発信器は共に近距離無線通信形であり、第１の情報発信器の通信可能範囲は体圧分散クッションの第１の側面の外側に広がっているが、第２の情報発信器の通信可能範囲とは重ならず、第２の情報発信器の通信可能範囲は体圧分散クッションの第２の側面の外側に広がっているが、第１の情報発信器の通信可能範囲とは重ならないようになっており、
第１の情報発信器は通信可能範囲にある外部の読み取り端末との無線通信により、右側臥位を表す情報を発信して読み取らせることができ、第２の情報発信器は通信可能範囲にある読み取り端末との無線通信により、左側臥位を表す情報を発信して読み取らせることができるようにしたこと、
を特徴とする体圧分散クッション。
【請求項２】
使用者の体軸に沿った前後方向に長く、使用者の背中部の左側または右側と接触する傾斜接触面を有する体圧分散クッションを使用者の背中部の左側の下に敷き、右側臥位の体位にしたときに、体圧分散クッションの長手方向の肩側に来る側面を第１の側面、腰側に来る側面を第２の側面として、体圧分散クッションの内、第１の側面側端部と第２の側面側端部に各々、装着された第１、第２の情報発信器と、
第１、第２の情報発信器の発信情報を無線通信により読み取る読み取り端末と、
を備え、
第１、第２の情報発信器は共に近距離無線通信形であり、第１の情報発信器の通信可能範囲は体圧分散クッションの第１の側面の外側に広がっているが、第２の情報発信器の通信可能範囲とは重ならず、第２の情報発信器の通信可能範囲は体圧分散クッションの第２の側面の外側に広がっているが、第１の情報発信器の通信可能範囲とは重ならないようになっており、
第１の情報発信器は通信可能範囲にある読み取り端末との無線通信により、右側臥位を表す情報を発信して読み取らせることができ、第２の情報発信器は通信可能範囲にある読み取り端末との無線通信により、左側臥位を表す情報を発信して読み取らせることができるようにしたこと、
を特徴とする体圧分散クッションの使用方向測定装置。
【考案の詳細な説明】
【技術分野】
【０００１】
本考案は体圧分散クッション、体圧分散クッションの使用方向測定装置に係り、とくに老人ホーム等の介護施設で介護対象者がベッドで右側臥位や左側臥位の姿勢をとる際に使用する体圧分散クッションの使用方向を、簡便かつ正確に測定可能とするための体圧分散クッション、体圧分散クッションの使用方向測定装置に関する。
【背景技術】
【０００２】
従来から、老人ホーム等の介護施設では介護対象者がベッドで右側臥位や左側臥位の姿勢をとる際に、体圧が集中し易い肩甲骨等の骨突起部分に掛かる負担を軽減するために、体圧分散クッションが使用されている。この体圧分散クッションは、図１（１）、図２（１）の符号１に示す如く、介護対象者Ａの体軸に沿った前後方向に長い三角柱状に形成されており、断面及び長手方向の両側面が３０度、９０度、６０度の直角三角形を成す。体圧分散クッション１の長手方向両側の側面２、３の直角三角形の底辺２ａ、３ａが成す平面が介護対象者Ａの肩から脇腹近くまでの背中部の左側または右側を載せる傾斜接触面４となる。
【０００３】
介護者がベッド１０に寝た介護対象者Ａに右側臥位の体位をとらせる場合、図１（１）、（２）に示す如く、体圧分散クッション１の側面２、３の直角三角形の斜辺２ｂ、３ｂが成す平面５を下向きにするとともに、側面２を介護対象者Ａの頭側、側面３を腰側に向け、側面２、３の直角三角形の底辺２ａ、３ａが成す傾斜接触面４が介護対象者Ａの左肩から左脇腹に掛けての背中部の左側の下側に来るように配置し、介護対象者Ａの背中部の左側の体圧がベッド１０に対し３０度に傾斜した傾斜接触面４の上に分散して支持されるようにする。
【０００４】
反対に、ベッド１０に寝た介護対象者Ａに左側臥位の体位をとらせる場合、図２（１）、（２）に示す如く、体圧分散クッション１の側面２、３の直角三角形の斜辺２ｂ、３ｂが成す平面５を下向きにするとともに、側面３を介護対象者Ａの頭側、側面２を腰側に向け、側面３、２の直角三角形の底辺３ａ、２ａが成す傾斜接触面４が介護対象者Ａの右肩から右脇腹に掛けての背中部の右側の下側に来るように配置し、介護対象者Ａの背中部の右側の体圧がベッド１０に対し３０度に傾斜した傾斜接触面４の上に分散して支持されるようにする。
【０００５】
ところで、介護者は、介護対象者Ａが右側臥位と左側臥位の間で体位を変換した際、変換後の体位を記録する必要がある。従来は、筆記具により管理手帳にメモしていたが、対象者が多いと記録作業が面倒であり、また記録間違いを起こし易いという問題があった。
【考案の概要】
【考案が解決しようとする課題】
【０００６】
本考案は上記した従来技術の問題に鑑みなされたもので、体圧分散クッションの使用方向を、簡便かつ正確に測定可能とする体圧分散クッション、体圧分散クッションの使用方向測定装置を提供することを、その目的とする。
【課題を解決するための手段】
【０００７】
請求項１記載の考案では、
使用者の体軸に沿った前後方向に長く、使用者の背中部の左側または右側と接触する傾斜接触面を有する体圧分散クッションを使用者の背中部の左側の下に敷き、右側臥位の体位にしたときに、体圧分散クッションの長手方向の肩側に来る側面を第１の側面、腰側に来る側面を第２の側面として、体圧分散クッションの内、第１の側面側端部と第２の側面側端部に各々、第１、第２の情報発信器を装着し、
第１、第２の情報発信器は共に近距離無線通信形であり、第１の情報発信器の通信可能範囲は体圧分散クッションの第１の側面の外側に広がっているが、第２の情報発信器の通信可能範囲とは重ならず、第２の情報発信器の通信可能範囲は体圧分散クッションの第２の側面の外側に広がっているが、第１の情報発信器の通信可能範囲とは重ならないようになっており、
第１の情報発信器は通信可能範囲にある外部の読み取り端末との無線通信により、右側臥位を表す情報を発信して読み取らせることができ、第２の情報発信器は通信可能範囲にある読み取り端末との無線通信により、左側臥位を表す情報を発信して読み取らせることができるようにしたこと、
を特徴としている。
請求項２記載の考案では、
使用者の体軸に沿った前後方向に長く、使用者の背中部の左側または右側と接触する傾斜接触面を有する体圧分散クッションを使用者の背中部の左側の下に敷き、右側臥位の体位にしたときに、体圧分散クッションの長手方向の肩側に来る側面を第１の側面、腰側に来る側面を第２の側面として、体圧分散クッションの内、第１の側面側端部と第２の側面側端部に各々、装着された第１、第２の情報発信器と、
第１、第２の情報発信器の発信情報を無線通信により読み取る読み取り端末と、
を備え、
第１、第２の情報発信器は共に近距離無線通信形であり、第１の情報発信器の通信可能範囲は体圧分散クッションの第１の側面の外側に広がっているが、第２の情報発信器の通信可能範囲とは重ならず、第２の情報発信器の通信可能範囲は体圧分散クッションの第２の側面の外側に広がっているが、第１の情報発信器の通信可能範囲とは重ならないようになっており、
第１の情報発信器は通信可能範囲にある読み取り端末との無線通信により、右側臥位を表す情報を発信して読み取らせることができ、第２の情報発信器は通信可能範囲にある読み取り端末との無線通信により、左側臥位を表す情報を発信して読み取らせることができるようにしたこと、
を特徴としている。
【考案の効果】
【０００８】
本考案によれば、介護対象者等の使用者がベッドで右側臥位や左側臥位の姿勢をとる際に使用する体圧分散クッションの使用方向を、簡便かつ正確に測定可能となる。
【図面の簡単な説明】
【０００９】
【図１】従来の問題点の説明図である。
【図２】従来の問題点の説明図である。
【図３】本考案の一実施例に係る体圧分散クッションの外観斜視図である。
【図４】図３の体圧分散クッションの平面図である。
【図５】図３の体圧分散クッションの正面図である。
【図６】図３の体圧分散クッションの後面図である。
【図７】本考案に係る体圧分散クッションの使用方法測定装置の構成図である。
【図８】図７の体圧分散クッションの使用方向測定装置の動作説明図である。
【図９】図７の体圧分散クッションの使用方向測定装置の動作説明図である。
【考案を実施するための最良の形態】
【００１０】
以下、本考案の最良の形態を実施例に基づき説明する。
【実施例１】
【００１１】
図３乃至図７を参照して本考案の一実施例に係る体圧分散クッションの使用方向測定装置を説明する。なお、図３乃至６は本考案に係る情報発信機能付き体圧分散クッション（以下、単に「体圧分散クッション」という）の外観斜視図、平面図、正面図、後面図、図７は体圧分散クッションの使用方向測定装置の構成を示すブロック図である。
【００１２】
図３乃至図６において、２０は体圧分散クッションであり、介護対象者（図８、図９の符号Ａ参照）の体軸に沿った前後方向（図８（１）、図９（１）の上下方向）に長い三角柱状に形成されており、断面及び長手方向の両側面が３０度、９０度、６０度の直角三角形を成す。体圧分散クッション２０の長手方向両側の側面２１、２２の直角三角形の底辺２１ａ、２２ａが成す平面が介護対象者Ａの肩から脇腹近くまでの背中部の左側または右側を載せる傾斜接触面２３となり、側面２１、２２の直角三角形の斜辺２１ｂ、２２ｂが成す平面２４がベッドの上に載置される。
体圧分散クッション２０を介護対象者Ａの背中部の左側の下に敷き、右側臥位の体位としたときに、肩側に来る側面２１を第１の側面、腰側に来る側面２２を第２の側面とする。体圧分散クッション２０の大きさはここでは一例として、側面２１、２２の直角三角形の底辺２１ａ、２２ａが２０ｃｍ、直角三角形の斜辺２１ｂ、２２ｂが２３ｃｍ、残りの一辺２１ｃ、２２ｃが１１．５ｃｍ、前後方向の長さが４０ｃｍであるとする（図４乃至図６参照）。
【００１３】
体圧分散クッション２０の内、第１の側面である側面２１側の端部と第２の側面である側面２２側の端部に各々、第１、第２の情報発信器３０、４０が装着されている。第１、第２の情報発信器３０、４０は共に近距離無線通信形であり、第１の情報発信器３０の通信可能範囲（図８、図９のＲ１参照）は体圧分散クッション２０の側面２１の外側に拡がっているが、第２の情報発信器４０の通信可能範囲（図８、図９のＲ２参照）と重ならないようになっており、同様に第２の情報発信器４０の通信可能範囲Ｒ２は体圧分散クッション２０の側面２２の外側に拡がっているが、第１の情報発信器３０の通信可能範囲Ｒ１と重ならないようになっている。
【００１４】
第１、第２の情報発信器３０、４０には、ここでは一例として共に通信可能距離が１０ｃｍ程度の電磁誘導式のパッシブ形ＲＦタグが用いられている。そして、体圧分散クッション２０の側面２１の内、直角を成す頂点から直角三角形の斜辺２１ｂに下した垂線の長さをＬ、Ｌずつに２等分した箇所に、第１の情報発信器３０が装着されている（図５参照）。また、側面２２の内、直角を成す頂点から直角三角形の斜辺２２ｂに下した垂線の長さをＬ、Ｌずつに２等分した箇所に、第２の情報発信器４０が装着されている（図６参照）。第１、第２の情報発信器３０、４０は体圧分散クッション２０の前後方向（図４の上下方向）の中央から見て、前後対称に配設されている。
なお、第１の情報発信器３０体圧分散クッション２０の側面２１の側の端部に設ければ良く、例えば側面２１の内部に少し埋め込むようにして装着しても良い。同様に、第２の情報発信器４０体圧分散クッション２０の側面２２の側の端部に設ければ良く、例えば側面２２の内部に少し埋め込むようにして装着しても良い。要は、第１の情報発信器３０の通信可能範囲は体圧分散クッション２０の側面２１の外側に広がっているが、第２の情報発信器４０の通信可能範囲とは重ならないようにし、第２の情報発信器４０の通信可能範囲は体圧分散クッション２０の側面２２の外側に広がっているが、第１の情報発信器３０の通信可能範囲とは重ならないようにすれば良い。
【００１５】
図７は本考案に係る体圧分散クッションの使用方向測定装置の構成を示すブロック図である。体圧分散クッションの使用方向測定装置は体圧分散クッション２０の側面２１、２２に装着された２つの第１、第２の情報発信器３０、４０と、第１、第２の情報発信器３０、４０との間で非接触で情報の読み書き可能な読み取り端末の一例としての情報端末（リーダ／ライタ）５０を含む。
第１の情報発信器３０の内、３１は磁界変調波の送受波を行うループアンテナ、３２はループアンテナ３１に生じた起電力より電源電圧を作成して各部に供給する電源部、３３はループアンテナ３１で受波した磁界変調波の受信、復調、復号化をし、受信情報を処理部３４へ出力したり、処理部３４から入力した発信情報の符号化、変調、電力増幅をし、ループアンテナ３１から磁界変調波に乗せて発信させたりする送受信部である。３５は記憶部であり、処理部３４の実行するプログラムと第１の情報発信器３０のＩＤコード（ここではｉｄ３０とする）を記憶しているほか、自由書き込み領域に予め、体圧分散クッション２０の使用方向情報（ここでは一例として右側臥位を表す「右向き」）が書き込まれる。処理部３４は電源部３２から電源が給電されると立ち上がり、記憶部３５に記憶されたプログラムに従い、送受信部３３から入力した受信情報を解読し、読み出しコマンドであれば記憶部３５からＩＤコードと使用方向情報（＝「右向き」）を読み出し、発信情報として送受信部３３に出力し、書き込みコマンドであれば、受信した書き込み情報を記憶部３５の自由書き込み領域に書き込む機能を有する。
【００１６】
第２の情報発信器４０は第１の情報発信器３０と同様の構成を有しており、４１はループアンテナ、４２はループアンテナ４１に生じた起電力より電源電圧を作成して各部に供給する電源部、４３はループアンテナ４１で受波した磁界変調波の受信、復調、復号化をし、受信情報を処理部４４へ出力したり、処理部４４から入力した発信情報の符号化、変調、電力増幅をし、ループアンテナ４１から磁界変調波に乗せて発信させたりする送受信部である。４５は記憶部であり、処理部４４の実行するプログラムと第２の情報発信器４０のＩＤコード（ここではｉｄ４０とする）を記憶しているほか、自由書き込み領域に予め、体圧分散クッション２０の使用方向情報（ここでは一例として左側臥位を表す「左向き」）が書き込まれる。処理部４４は電源部４２から電源が給電されると立ちあがり、記憶部４５に記憶されたプログラムに従い、送受信部４３から入力した受信情報を解読し、読み出しコマンドであれば記憶部４５からＩＤコードと使用方向情報（＝「左向き」）を読み出し、発信情報として送受信部４３に出力し、書き込みコマンドであれば、受信した書き込み情報を記憶部４５の自由書き込み領域に書き込む機能を有する。
【００１７】
情報端末５０の内、５１は磁界変調波の送受波を行うループアンテナ、５２は送受信部であり、ループアンテナ５１で受波した磁界変調波の受信、復調、復号化をし、受信情報を処理部５３へ出力したり、処理部５３から入力した送信情報の符号化、変調、電力増幅をし、ループアンテナ５１から磁界変調波に乗せて送信させたりする。５４と５５は操作部と表示部、５６は外部のホストコンピュータ６０と無線通信を行う通信部、５７は記憶部であり、処理部５３の実行するプログラムを記憶しているほか、第１、第２の情報発信器３０、４０、ホストコンピュータ６０と授受した情報の履歴等を記憶する。
【００１８】
処理部５３は記憶部５７に記憶されたプログラムに基づき、操作部５４で情報の読み出しが指示されると、読み出しコマンドを含む送信情報を送受信部５２へ出力し、符号化、変調、電力増幅をさせたのち、ループアンテナ５１から磁界変調波に乗せて送信させる。そして、送受信部５２からＩＤコードと使用方向情報を含む受信情報を入力すると、表示部５５に表示し、日時と対応付けて記憶部５７の履歴情報に追加記憶するとともに、通信部５６を介してホストコンピュータ６０へ送信する。また、記憶部５７にホストコンピュータ６０から予め受信した書き込み指示情報（ＩＤコードを含む書き込みコマンド＋書き込み情報である使用方向情報）が記憶された状態で、操作部５４で書き込みが指示されると、処理部５３は、書き込みコマンドと書き込み情報を含む送信情報を送受信部５２へ出力し、符号化、変調、電力増幅をさせたのち、ループアンテナ５１から磁界変調波に乗せて送信させる。なお、記憶部５７に記憶された履歴情報は操作部５４の操作で表示部５５への表示や、ホストコンピュータ６０への送信が可能になっている。
【００１９】
図８と図９は体圧分散クッション２０の使用方向測定装置の動作説明図であり、以下、これらの図を参照して上記した実施例の動作を説明する。
体圧分散クッション２０の第１の側面としての正面側の側面２１に第１の情報発信器３０が装着されており、第２の側面としての後面側の側面２２に第２の情報発信器４０が装着されている場合、第１の情報発信器３０の通信可能範囲Ｒ１は第１の情報発信器３０を中心とした半径約１０ｃｍの範囲であり、側面２１の外側に広がる一方、第２の情報発信器４０の通信可能範囲Ｒ２とは重ならず、第２の情報発信器４０の通信可能範囲Ｒ２は第２の情報発信器４０を中心とした半径約１０ｃｍの範囲であり、側面２２の外側に広がる一方、第１の情報発信器３０の通信可能範囲Ｒ１とは重ならない。
【００２０】
（１）第１、第２の情報発信器への使用方向情報の事前登録
ホストコンピュータ６０で、介護対象者Ａの名前に対応付けて左側臥位に体位変換した日時、右側臥位に体位変換した日時を管理したい場合、予め、ホストコンピュータ６０の図示しない管理情報蓄積手段に、Ａの名前、第１、第２の情報発信器３０、４０のＩＤコード＝ｉｄ３０とｉｄ４０を対応付けて登録しておく。また、ホストコンピュータ６０から、ＩＤ＝ｉｄ３０を含む書き込みコマンドと書き込み情報である「右向き」から成る第１の情報発信器３０向けの書き込み指示情報と、ＩＤ＝ｉｄ４０を含む書き込みコマンドと書き込み情報である「左向き」から成る第２の情報発信器３０向けの書き込み指示情報を情報端末５０へ送信する。これらの書き込み指示情報は、情報端末５０の通信部５６で受信され、処理部５３により記憶部５７に記憶される。
【００２１】
介護者または管理者は、情報端末５０を体圧分散クッション２０の側面２１に外側から近づけ、第１の情報発信器３０の通信可能範囲Ｒ１に入れて、操作部５４で第１の情報発信器３０に対する書き込みを指示すると、処理部５３は記憶部５７からの第１の情報発信器３０向けの書き込み指示情報に基づき、ＩＤコード（＝ｉｄ３０）を含む書き込みコマンドと、書き込み情報（使用方向情報＝「右向き」）を含む送信情報を送受信部５２へ出力し、符号化、変調、電力増幅をさせたのち、ループアンテナ５１から磁界変調波に乗せて送信させる。この磁界変調波は第１、第２の情報発信器３０、４０の内、情報端末５０が通信可能範囲に有る第１の情報発信器３０のループアンテナ３１に電磁誘導で受波され、電源部３２が給電を開始するとともに、送受信部３３で受信、復調、復号がされて受信情報が処理部３４に入力される。処理部３４は受信情報を解読し、受信ＩＤが自身のものと一致するので、書き込みコマンドに従い、記憶部３５の自由書き込み領域に使用方向情報として「右向き」を記憶させる。
【００２２】
同様に、情報端末５０を体圧分散クッション２０の側面２２に外側から近づけ、第２の情報発信器４０の通信可能範囲Ｒ２に入れて、操作部５４で第２の情報発信器４０に対する書き込みを指示すると、処理部５３は記憶部５７からの第２の情報発信器４０向けの書き込み指示情報に基づき、ＩＤコード（＝ｉｄ４０）を含む書き込みコマンドと書き込み情報（使用方向情報＝「左向き」）を含む送信情報を送受信部５２へ出力し、符号化、変調、電力増幅をさせたのち、ループアンテナ５１から磁界変調波に乗せて送信させる。この磁界変調波は第１、第２の情報発信器３０、４０の内、情報端末５０が通信可能範囲に有る第２の情報発信器４０のループアンテナ４１に電磁誘導で受波され、電源部４２が給電を開始するとともに、送受信部４３で受信、復調、復号がされて受信情報が処理部４４に入力される。処理部４４は受信情報を解読し、受信ＩＤが自身のものと一致するので、書き込みコマンドに従い、記憶部４５の自由書き込み領域に使用方向情報として「左向き」を記憶させる。
このようにして、第１の情報発信器３０、４０に発信情報としての使用方向情報を登録しておく。
【００２３】
（２）体圧分散クッション２０の使用方向の測定
介護者がベッド１０に寝た介護対象者Ａに右側臥位の体位をとらせ、体圧分散クッション２０を用いて背中部の左側の体圧を分散させたい場合、図８（１）、（２）に示す如く、体圧分散クッション２０の側面２１、２２の直角三角形の斜辺２１ｂ、２２ｂが成す平面２４を下向きにするとともに、側面２１を介護対象者Ａの頭側、側面２２を腰側に向け、側面２１、２２の直角三角形の底辺２１ａ、２２ａが成す傾斜接触面２３が介護対象者Ａの左肩から左脇腹に掛けての背中部の左側の下側に来るように配置し、介護対象者Ａの背中部の左側の体圧がベッド１０に対し３０度に傾斜した傾斜接触面２３の上に分散して支持されるようにする。
【００２４】
このあと、情報端末５０の操作部５４で情報の読み出しを指示し、情報端末５０を介護対象者Ａの左肩の外側から体圧分散クッション２０の側面２１に近づけ、第１の情報発信器３０の通信可能範囲Ｒ１に入れると、処理部５３は読み出しコマンドを含む送信情報を送受信部５２へ出力し、符号化、変調、電力増幅をさせたのち、ループアンテナ５１から磁界変調波に乗せて送信させる。この磁界変調波は第１、第２の情報発信器３０、４０の内、情報端末５０が通信可能範囲に有る第１の情報発信器３０のループアンテナ３１に受波され、電源部３２が給電を開始するとともに、送受信部３３で受信、復調、復号がされて受信情報が処理部３４に入力される。処理部３４は受信情報を解読し、読み出しコマンドなので、記憶部３５からＩＤ＝ｉｄ３０と「右向き」を読み出し、発信情報として送受信部３３に出力する。送受信部３３は発信情報の符号化、変調、電力増幅をし、ループアンテナ３１から磁界変調波に乗せて発信させる。
【００２５】
第１の情報発信器３０から発射された磁界変調波は、情報端末５０のループアンテナ５１に電磁誘導により受波され、送受信部５２により受信、復調、復号がされて受信情報として処理部５３に入力される。処理部５３は受信情報の受信ＩＤと使用方向情報を表示部５５に表示し、日時とともに記憶部５７の履歴情報に追加し、通信部５６を介してホストコンピュータ６０へ送信する。ホストコンピュータ６０は、受信した情報と一致するＩＤが登録された介護対象者Ａについての体圧分散クッション２０の使用方向情報として日時とともに図示しない管理情報蓄積手段に記憶する。
なお、若し読み取り時に情報端末５０を、体圧分散クッション２０の肩側の側面２１から見て腰寄りに移動させてしまい、第２の情報発信器４０の通信可能範囲Ｒ２に近づき過ぎても、第２の情報発信器４０の上に介護対象者Ａの身体が被さっているので、誤って第２の情報発信器４０の読み取りをする恐れはない。
【００２６】
（３）体位の変換
その後、或る時間が経過し、介護者がベッド１０に寝た介護対象者Ａに左側臥位の体位をとらせ、体圧分散クッション２０を用いて背中部の右側の体圧を分散させたい場合、図９（１）、（２）に示す如く、体圧分散クッション２０の側面２１、２２の直角三角形の斜辺２１ｂ、２２ｂが成す平面２４を下向きにするとともに、側面２２を介護対象者Ａの頭側、側面２１を腰側に向け、側面２２、２１の直角三角形の底辺２２ａ、２１ａが成す傾斜接触面２３が介護対象者Ａの右肩から右脇腹に掛けての背中部の右側の下側に来るように配置し、介護対象者Ａの背中部の右側の体圧がベッド１０に対し３０度に傾斜した傾斜接触面２３の上に分散して支持されるようにする。
【００２７】
このあと、情報端末５０の操作部５４で情報の読み出しを指示し、情報端末５０を介護対象者Ａの右肩の外側から体圧分散クッション２０の側面２２に近づけ、第２の情報発信器４０の通信可能範囲Ｒ２に入れると、処理部５３は読み出しコマンドを含む送信情報を送受信部５２へ出力し、符号化、変調、電力増幅をさせたのち、ループアンテナ５１から磁界変調波に乗せて送信させる。この磁界変調波は第１、第２の情報発信器３０、４０の内、情報端末５０が通信可能範囲に有る第２の情報発信器４０のループアンテナ４１に電磁誘導で受波され、電源部４２が給電を開始するとともに、送受信部４３で受信、復調、復号がされて受信情報が処理部４４に入力される。処理部４４は受信情報を解読し、読み出しコマンドなので、記憶部４５からＩＤ＝ｉｄ４０と「左向き」を読み出し、発信情報として送受信部４３に出力する。送受信部４３は発信情報の符号化、変調、電力増幅をし、ループアンテナ４１から磁界変調波に乗せて発信させる。
【００２８】
第２の情報発信器４０から発射された磁界変調波は、情報端末５０のループアンテナ５１に電磁誘導により受波され、送受信部５２により受信、復調、復号がされて受信情報として処理部５３に入力される。処理部５３は受信情報の受信ＩＤと使用方向情報を表示部５５に表示し、日時とともに記憶部５７の履歴情報に追加し、通信部５６を介してホストコンピュータ６０へ送信する。ホストコンピュータ６０は、受信した情報と一致するＩＤが登録された介護対象者Ａについての体圧分散クッション２０の使用方向情報として日時とともに図示しない管理情報蓄積手段に記憶する。
なお、若し読み取り時に情報端末５０を、体圧分散クッション２０の肩側の側面２２から見て腰寄りに移動させてしまい、第１の情報発信器３０の通信可能範囲Ｒ１に近づき過ぎても、第１の情報発信器３０の上に介護対象者Ａの身体が被さっているので、誤って第１の情報発信器３０の読み取りをする恐れはない。
このようにして、介護者が管理手帳に筆記具を用いて耐圧分散クッション２０の使用方向情報や日時を筆記しなくても、簡単かつ正確に測定および記録することができる。
【００２９】
この実施例によれば、予め、体圧分散クッション２０の長手方向の両側の側面２１、２２に各々、第１、第２の情報発信器３０、４０を装着し、使用者としての介護対象者Ａが右側臥位の体位をとったときに背中部の左側を載せる体圧分散クッション２０の肩側に来る第１の情報発信器３０に使用方向情報としての「右向き」を記憶させて登録し、左側臥位の体位をとったときに背中部の右側を載せる体圧分散クッション２０の肩側に来る第２の情報発信器４０に使用方向情報としての「左向き」を記憶させて登録しておき、体位変換した際、介護者が介護対象者Ａの肩側から肩側に近い位置にある側面２１または２２に情報端末５０を近づけるだけで、体圧分散クッション２０の使用方向情報である「右向き」または「左向き」を読み取り、情報端末５０内に記憶したり、ホストコンピュータ６０へ送信して、介護対象者Ａと対応付けた管理情報に登録させたりすることができ、体圧分散クッション２０の使用方向を、簡便かつ正確に測定可能となる。
【００３０】
なお、上記した実施例では、第１、第２の情報発信器にパッシブ形ＲＦタグを用いた場合を例に挙げて説明したが、本考案は何らこれに限定されず、アクティブ形ＲＦタグを用いたり、ＲＦタグ以外の近距離通信システムを用いても良い。
また、読み取り端末として、リード／ライト型の情報端末を用いた場合を例に挙げたが、リード型の情報端末を用いても良い。
【産業上の利用可能性】
【００３１】
本考案は、介護施設、老人ホーム、病院等で体圧分散クッションを使用して対象者の介護等をする場合に適用可能である。
【符号の説明】
【００３２】
２０  体圧分散クッション
２１、２２側面
２３  傾斜接触面
３０  第１の情報発信器
４０  第２の情報発信器
５０  情報端末
６０  ホストコンピュータ
【図１】
0003225058.tif 000003
【図２】
0003225058.tif 000004
【図３】
0003225058.tif 000005
【図４】
0003225058.tif 000006
【図５】
0003225058.tif 000007
【図６】
0003225058.tif 000008
【図７】
0003225058.tif 000009
【図８】
0003225058.tif 000010
【図９】
0003225058.tif 000011